(57)【要約】【課題】各部品の軸芯ずれを抑制することができる軸受装置およびその製造方法を提供する。【解決手段】フランジ部４４が形成されたシャフト４１と、スリーブ４３と、第一転がり軸受５１および第二転がり軸受５２と、を備えた軸受装置１０において、シャフトとフランジ部との境界に第一テーパ６１が形成され、第一テーパと当接可能な第二テーパ６２が第一転がり軸受の内輪５１ａに形成され、スリーブ内に配されたスペーサ部４５の内周面４５ａとスリーブの内周面４３ａとの間に第三テーパ６３および第四テーパ６４が形成されるとともに、第三テーパと当接可能な第五テーパ６５が第一転がり軸受の外輪５１ｂに形成され、第四テーパと当接可能な第六テーパ６６が第二転がり軸受の外輪５２ｂに形成され、各テーパがそれぞれ当接した状態で第一転がり軸受および第二転がり軸受が、シャフトとスリーブとの間に固定されている。【選択図】図２
2010054028.tif 000002
【特許請求の範囲】
【請求項１】
円柱状に形成されたシャフトと、
該シャフトの軸方向の一方端部に拡径形成されたフランジ部と、
前記シャフトの外周面に対して所定間隔離間して同軸状に配される円筒状のスリーブと、
前記シャフトと前記スリーブとの間に配置され、内輪が前記シャフトに接着固定されるとともに、外輪が前記スリーブに接着固定された第一転がり軸受と、
該第一転がり軸受から前記シャフトの軸方向に所定間隔離間した位置に配され、内輪が前記シャフトに接着固定されるとともに、外輪が前記スリーブに接着固定された第二転がり軸受と、を備えた軸受装置において、
前記シャフトと前記フランジ部との境界に第一テーパが形成され、該第一テーパと当接可能な第二テーパが前記第一転がり軸受の内輪端面に形成され、
前記第一転がり軸受と前記第二転がり軸受との間隔を所定距離に保持するスペーサ部が、前記スリーブの周方向に当接されるとともに、前記スリーブの径方向内側に向かって突出配置され、
前記スペーサ部の両端面と前記スリーブの内周面との間に第三テーパおよび第四テーパが形成されるとともに、前記第三テーパと当接可能な第五テーパが前記第一転がり軸受の外輪端面に形成され、前記第四テーパと当接可能な第六テーパが前記第二転がり軸受の外輪端面に形成され、
各テーパがそれぞれ当接した状態で前記第一転がり軸受および前記第二転がり軸受が、前記シャフトと前記スリーブとの間に接着固定されていることを特徴とする軸受装置。
【請求項２】
前記第一転がり軸受と前記第二転がり軸受とが、同一形状であることを特徴とする請求項１に記載の軸受装置。
【請求項３】
円柱状に形成されたシャフトと、
該シャフトの軸方向の一方端部に拡径形成されたフランジ部と、
前記シャフトの外周面に対して所定間隔離間して同軸状に配される円筒状のスリーブと、
前記シャフトと前記スリーブとの間に配置され、内輪が前記シャフトに接着固定されるとともに、外輪が前記スリーブに接着固定された第一転がり軸受と、
該第一転がり軸受から前記シャフトの軸方向に所定間隔離間した位置に配され、内輪が前記シャフトに接着固定されるとともに、外輪が前記スリーブに接着固定された第二転がり軸受と、を備え、
前記シャフトと前記フランジ部との境界に第一テーパが形成され、該第一テーパと当接可能な第二テーパが前記第一転がり軸受の内輪端面に形成され、
前記第一転がり軸受と前記第二転がり軸受との間隔を所定距離に保持するスペーサ部が、前記スリーブの周方向に当接されるとともに、前記スリーブの径方向内側に向かって突出配置され、
前記スペーサ部の両端面と前記スリーブの内周面との間に第三テーパおよび第四テーパが形成されるとともに、前記第三テーパと当接可能な第五テーパが前記第一転がり軸受の外輪端面に形成され、前記第四テーパと当接可能な第六テーパが前記第二転がり軸受の外輪端面に形成された軸受装置の製造方法において、
前記シャフトの外周面における前記第一転がり軸受との当接箇所に接着剤を塗布する工程と、
前記第一転がり軸受の内輪に前記シャフトを挿通して、前記第一テーパと前記第二テーパとを当接させる工程と、
前記スリーブの内周面における前記第二転がり軸受との当接箇所に接着剤を塗布する工程と、
前記スリーブに前記第二転がり軸受の外輪を挿入して、前記第四テーパと前記第六テーパとを当接させる工程と、
前記シャフトの外周面における前記第二転がり軸受との当接箇所、および前記スリーブの内周面における前記第一転がり軸受との当接箇所に接着剤を塗布する工程と、
前記第二転がり軸受が取り付けられた前記スリーブに前記第一転がり軸受が取り付けられた前記シャフトを挿通して、前記第三テーパと前記第五テーパとを当接させる工程と、
前記第二転がり軸受の内輪を前記フランジ部側に所定圧力で押圧しながら、前記接着剤を硬化させて前記第一転がり軸受および前記第二転がり軸受を固定する工程と、を有していることを特徴とする軸受装置の製造方法。
【請求項４】
前記第一転がり軸受と前記第二転がり軸受とが、同一形状であることを特徴とする請求項３に記載の軸受装置の製造方法。
【請求項５】
前記第二転がり軸受の内輪を押圧する冶具が、前記シャフトの外周面に沿って摺動自在に形成され、前記内輪に形成された第七テーパに当接可能な第八テーパを有していることを特徴とする請求項４に記載の軸受装置の製造方法。
【請求項６】
請求項１または２に記載の軸受装置と、
該軸受装置のまわりを回動可能に構成され、ヘッドジンバルアセンブリを支持するアーム部を有するキャリッジと、
一定方向に回転する磁気記録媒体と、を備えていることを特徴とする情報記録再生装置。
【発明の詳細な説明】
【技術分野】
【０００１】
本発明は、軸受装置、軸受装置の製造方法および情報記録再生装置に関するものである。
【背景技術】
【０００２】
従来から、各種の情報を磁気的又は光学的にディスクに記憶・再生させるハードディスクなどの情報記録再生装置が知られている。一般的に、情報記録再生装置は、ディスクに信号を記録再生する磁気ヘッドが先端に設けられたスイングアームを有するアクチュエータを備えている。このアクチュエータはその基端側に設けられた軸受装置に回動可能に支持されている。つまり、この軸受装置を回動させることで、スイングアームを水平面に沿って回動させることができ、スイングアーム先端の磁気ヘッドをディスクの所定位置に移動することで、信号の記録や再生を行うことができる。
【０００３】
近年、コンピュータ機器におけるハードディスク等の容量増加に伴い、単一記録面内における情報の記録密度が増加している。つまり、磁気ヘッドの位置制御の精度向上が望まれている。しかしながら、軸受装置を構成する各部品の軸芯がずれていると、軸受装置を中心にスイングアームを回動させたときに磁気ヘッドの位置制御の精度が低下する。また、このように軸受装置の軸芯がずれていると、トルクに乱れを生じさせる原因となったり、ノイズなどが発生する原因となったりする。
【０００４】
このような問題を解消するために、転がり軸受の内輪とシャフトとの固定、および転がり軸受の外輪とスリーブとの固定を、接着剤を用いて行う転がり軸受装置が提案されている（例えば、特許文献１参照）。
【特許文献１】特開２００１−２１４９４２号公報
【発明の開示】
【発明が解決しようとする課題】
【０００５】
ところで、特許文献１の転がり軸受装置は、各転がり軸受とシャフト若しくはスリーブとを接着剤により固定させるために、転がり軸受の内輪とシャフトとの間、および転がり軸受の外輪とスリーブとの間に、それぞれ若干の隙間を形成し、その隙間に接着剤を塗布して固定させている。したがって、シャフトの軸芯と転がり軸受若しくはスリーブの軸芯とがずれてしまい、トルクが乱れたり、ノイズが発生したりするという問題があった。
【０００６】
一方、転がり軸受をシャフト若しくはスリーブに圧入して固定する方法も提案されているが、圧入固定するためには、転がり軸受、シャフトおよびスリーブに厳しい加工精度が要求されるため、歩留まりが低下するという問題があった。また、圧入すると、転がり軸受が歪んでしまうという問題があった。したがって、転がり軸受とシャフトおよびスリーブとの間は接着固定する方法が望ましい。
【０００７】
そこで、本発明は、上述の事情に鑑みてなされたものであり、各部品の軸芯ずれを抑制することができる軸受装置、軸受装置の製造方法および情報記録再生装置を提供するものである。
【課題を解決するための手段】
【０００８】
上記の課題を解決するために、本発明は以下の手段を提供する。
本発明に係る軸受装置は、円柱状に形成されたシャフトと、該シャフトの軸方向の一方端部に拡径形成されたフランジ部と、前記シャフトの外周面に対して所定間隔離間して同軸状に配される円筒状のスリーブと、前記シャフトと前記スリーブとの間に配置され、内輪が前記シャフトに接着固定されるとともに、外輪が前記スリーブに接着固定された第一転がり軸受と、該第一転がり軸受から前記シャフトの軸方向に所定間隔離間した位置に配され、内輪が前記シャフトに接着固定されるとともに、外輪が前記スリーブに接着固定された第二転がり軸受と、を備えた軸受装置において、前記シャフトと前記フランジ部との境界に第一テーパが形成され、該第一テーパと当接可能な第二テーパが前記第一転がり軸受の内輪端面に形成され、前記第一転がり軸受と前記第二転がり軸受との間隔を所定距離に保持するスペーサ部が、前記スリーブの周方向に当接されるとともに、前記スリーブの径方向内側に向かって突出配置され、前記スペーサ部の両端面と前記スリーブの内周面との間に第三テーパおよび第四テーパが形成されるとともに、前記第三テーパと当接可能な第五テーパが前記第一転がり軸受の外輪端面に形成され、前記第四テーパと当接可能な第六テーパが前記第二転がり軸受の外輪端面に形成され、各テーパがそれぞれ当接した状態で前記第一転がり軸受および前記第二転がり軸受が、前記シャフトと前記スリーブとの間に接着固定されていることを特徴としている。
【０００９】
このように構成することで、第一転がり軸受をシャフトとスリーブとの間に介装する際に、第一テーパと第二テーパを当接させ、第三テーパと第五テーパとを当接させることにより、内輪および外輪の位置を常に同じ位置に保持して固定することができる。したがって、第一転がり軸受の軸芯とシャフトの軸芯若しくはスリーブの軸芯との軸芯ずれを抑制することができる。同様に、第二転がり軸受をシャフトとスリーブとの間に介装する際に、第四テーパと第六テーパを当接させることにより、内輪および外輪の位置を常に同じ位置に保持して固定することができる。したがって、第二転がり軸受の軸芯とシャフトの軸芯若しくはスリーブの軸芯との軸芯ずれを抑制することができる。
このように、各部品にテーパ部を形成して、接着剤で固定するだけで、軸芯ずれを抑制することができる。つまり、部品加工に厳しい精度が要求されなくなり、加工が容易になる。また、軸受装置の各部品の軸芯ずれが無くなると、トルクの乱れやノイズの発生を抑制することができる。結果として、高性能な軸受装置を提供することができる。
【００１０】
また、前記第一転がり軸受と前記第二転がり軸受とが、同一形状であることを特徴としている。
このように構成することで、転がり軸受の種類を削減できるため、転がり軸受の生産効率を向上することができるとともに、コストダウンが可能になる。
【００１１】
本発明に係る軸受装置の製造方法は、円柱状に形成されたシャフトと、該シャフトの軸方向の一方端部に拡径形成されたフランジ部と、前記シャフトの外周面に対して所定間隔離間して同軸状に配される円筒状のスリーブと、前記シャフトと前記スリーブとの間に配置され、内輪が前記シャフトに接着固定されるとともに、外輪が前記スリーブに接着固定された第一転がり軸受と、該第一転がり軸受から前記シャフトの軸方向に所定間隔離間した位置に配され、内輪が前記シャフトに接着固定されるとともに、外輪が前記スリーブに接着固定された第二転がり軸受と、を備え、前記シャフトと前記フランジ部との境界に第一テーパが形成され、該第一テーパと当接可能な第二テーパが前記第一転がり軸受の内輪端面に形成され、前記第一転がり軸受と前記第二転がり軸受との間隔を所定距離に保持するスペーサ部が、前記スリーブの周方向に当接されるとともに、前記スリーブの径方向内側に向かって突出配置され、前記スペーサ部の両端面と前記スリーブの内周面との間に第三テーパおよび第四テーパが形成されるとともに、前記第三テーパと当接可能な第五テーパが前記第一転がり軸受の外輪端面に形成され、前記第四テーパと当接可能な第六テーパが前記第二転がり軸受の外輪端面に形成された軸受装置の製造方法において、前記シャフトの外周面における前記第一転がり軸受との当接箇所に接着剤を塗布する工程と、前記第一転がり軸受の内輪に前記シャフトを挿通して、前記第一テーパと前記第二テーパとを当接させる工程と、前記スリーブの内周面における前記第二転がり軸受との当接箇所に接着剤を塗布する工程と、前記スリーブに前記第二転がり軸受の外輪を挿入して、前記第四テーパと前記第六テーパとを当接させる工程と、前記シャフトの外周面における前記第二転がり軸受との当接箇所、および前記スリーブの内周面における前記第一転がり軸受との当接箇所に接着剤を塗布する工程と、前記第二転がり軸受が取り付けられた前記スリーブに前記第一転がり軸受が取り付けられた前記シャフトを挿通して、前記第三テーパと前記第五テーパとを当接させる工程と、前記第二転がり軸受の内輪を前記フランジ部側に所定圧力で押圧しながら、前記接着剤を硬化させて前記第一転がり軸受および前記第二転がり軸受を固定する工程と、を有していることを特徴としている。
【００１２】
このように構成することで、第一転がり軸受をシャフトとスリーブとの間に介装する際に、第一テーパと第二テーパを当接させ、第三テーパと第五テーパとを当接させることにより、内輪および外輪の位置を常に同じ位置に保持して固定することができる。したがって、第一転がり軸受の軸芯とシャフトの軸芯若しくはスリーブの軸芯との軸芯ずれを抑制することができる。同様に、第二転がり軸受をシャフトとスリーブとの間に介装する際に、第四テーパと第六テーパを当接することにより、内輪および外輪の位置を常に同じ位置に保持して固定することができる。したがって、第二転がり軸受の軸芯とシャフトの軸芯若しくはスリーブの軸芯との軸芯ずれを抑制することができる。
しかも、第二転がり軸受の内輪をフランジ部側に押圧することにより、第四テーパと第六テーパとが確実に当接するだけでなく、第三テーパと第五テーパとが確実に当接し、さらには第一テーパと第二テーパとが確実に当接することになる。したがって、各部品の軸芯ずれを確実に抑制することができる。
このように、各部品にテーパ部を形成して、接着剤で固定するだけで、軸芯ずれを抑制することができる。つまり、部品加工に厳しい精度が要求されなくなり、加工が容易になる。また、軸受装置の各部品の軸芯ずれが無くなると、トルクの乱れやノイズの発生を抑制することができる。結果として、高性能な軸受装置を提供することができる。
【００１３】
また、前記第一転がり軸受と前記第二転がり軸受とが、同一形状であることを特徴としている。
このように構成することで、転がり軸受の生産効率を向上することができる。また、軸受装置の製造時に、転がり軸受を見分けながら取り付ける必要がないため、取り付け間違いが起こらず、製造効率を向上することができる。
【００１４】
さらに、前記第二転がり軸受の内輪を押圧する冶具が、前記シャフトの外周面に沿って摺動自在に形成され、前記内輪に形成された第七テーパに当接可能な第八テーパを有していることを特徴としている。
このように構成することで、冶具をシャフトの外周面に配置しつつ、第八テーパを第二転がり軸受の第七テーパに当接させることで、第二転がり軸受の内輪の位置をより確実に同じ位置に保持して固定することができる。これにより、第二転がり軸受の軸芯とシャフトの軸芯との軸芯ずれを抑制することが可能になる。したがって、各部品の軸芯ずれを完全に防止することができる。
【００１５】
そして、本発明に係る情報記録再生装置は、上述した軸受装置と、該軸受装置のまわりを回動可能に構成され、ヘッドジンバルアセンブリを支持するアーム部を有するキャリッジと、一定方向に回転する磁気記録媒体と、を備えていることを特徴としている。
【００１６】
このように構成することで、各部品の軸芯ずれを抑制することができる軸受装置を備えているため、磁気記録媒体に対してヘッドジンバルアセンブリを高精度に位置制御をすることができる情報記録再生装置を提供することができる。
【発明の効果】
【００１７】
本発明に係る軸受装置によれば、第一転がり軸受をシャフトとスリーブとの間に介装する際に、第一テーパと第二テーパを当接させ、第三テーパと第五テーパとを当接させることにより、内輪および外輪の位置を常に同じ位置に保持して固定することができる。したがって、第一転がり軸受の軸芯とシャフトの軸芯若しくはスリーブの軸芯との軸芯ずれを抑制することができる。同様に、第二転がり軸受をシャフトとスリーブとの間に介装する際に、第四テーパと第六テーパを当接させることにより、内輪および外輪の位置を常に同じ位置に保持して固定することができる。したがって、第二転がり軸受の軸芯とシャフトの軸芯若しくはスリーブの軸芯との軸芯ずれを抑制することができる。
このように、各部品にテーパ部を形成して、接着剤で固定するだけで、軸芯ずれを抑制することができる。つまり、部品加工に厳しい精度が要求されなくなり、加工が容易になる。また、軸受装置の各部品の軸芯ずれが無くなると、トルクの乱れやノイズの発生を抑制することができる。結果として、高性能な軸受装置を提供することができる。
【発明を実施するための最良の形態】
【００１８】
次に、本発明に係る軸受装置の実施形態を図１〜図６に基づいて説明する。なお、本実施形態では、軸受装置が情報記録再生装置のピボット軸に用いられている場合について説明する。
【００１９】
図１は、本発明に係る情報記録再生装置１の概略構成図である。なお、本実施形態の情報記録再生装置１は、垂直記録層を有するディスク（磁気記録媒体）Ｄに対して、垂直記録方式で書き込みを行う装置である。
【００２０】
図１に示すように、情報記録再生装置１は、キャリッジ１１と、キャリッジ１１の基端側から光導波路３２を介して光束を供給するレーザ光源２０と、キャリッジ１１の先端側に支持されたヘッドジンバルアセンブリ（ＨＧＡ）１２と、ヘッドジンバルアセンブリ１２をディスク面Ｄ１（ディスクＤの表面）に平行な水平面内方向にスキャン移動させるアクチュエータ６と、ディスクＤを回転軸Ｌ２を中心に回転させるスピンドルモータ７と、情報に応じて変調した電流をヘッドジンバルアセンブリ１２のスライダ２に対して供給する制御部５と、これら各構成品を内部に収容するハウジング９と、を備えている。
【００２１】
ハウジング９は、アルミニウム等の金属材料からなる上部開口部を有する箱型形状のものであり、上面視四角形状の底部９ａと、底部９ａの周縁において底部９ａに対して鉛直方向に立設する周壁（不図示）とで構成されている。そして、周壁に囲まれた内側には、上述した各構成品を収容する凹部が形成される。なお、図１においては、説明を分かりやすくするため、ハウジング９の周囲を取り囲む周壁を省略している。
【００２２】
また、このハウジング９には、ハウジング９の開口を塞ぐように図示しない蓋が着脱可能に固定されるようになっている。底部９ａの略中心には、上記スピンドルモータ７が取り付けられており、該スピンドルモータ７に中心孔を嵌め込むことでディスクＤが着脱自在に固定されている。
【００２３】
ディスクＤの外側で、底部９ａの一つの隅角部には、上述したアクチュエータ６が取り付けられている。このアクチュエータ６には、ピボット軸（軸受装置）１０を中心に水平面内で回転軸Ｌ１を中心に回動可能なキャリッジ１１が取り付けられている。このキャリッジ１１は、基端部から先端部に向けて（ディスクＤ方向に向けて）延設されたアーム部１４と、アーム部１４を基端部を介して片持ち状に支持する基部１５とが、削り出し加工等により一体形成されたものである。基部１５は、略直方体形状に形成されたものであり、ピボット軸１０まわりを回動可能に支持されている。つまり、基部１５はピボット軸１０を介してアクチュエータ６に連結されており、このピボット軸１０がキャリッジ１１の回転中心となっている。
【００２４】
アーム部１４は、基部１５におけるアクチュエータ６が取り付けられた側面１５ａと反対側の側面（隅角部の反対側の側面）１５ｂにおいて、基部１５の上面の面方向（水平面内方向）と平行に延出する平板状のものであり、基部１５の高さ方向（垂直方向）に沿って３枚延出している。具体的には、アーム部１４は、基端部から先端部に向かうにつれ先細るテーパ形状に形成されており、各アーム部１４，１４間に、ディスクＤが挟み込まれるように配置されている。つまり、アーム部１４とディスクＤとが、交互に配置可能に構成されており、アクチュエータ６の駆動によってアーム部１４がディスクＤの表面に平行な方向（水平面内方向）に移動可能になっている。なお、キャリッジ１１及びヘッドジンバルアセンブリ１２は、ディスクＤの回転停止時にアクチュエータ６の駆動によって、ディスクＤ上から退避するようになっている。
【００２５】
ヘッドジンバルアセンブリ１２は、アーム部１４の先端に連接されており、サスペンション３と、サスペンション３の先端に取り付けられたスライダ２とを備えている。また、ヘッドジンバルアセンブリ１２は、図示しない近接場光発生素子を有するスライダ２に、レーザ光源２０からの光束を導いて近接場光（スポット光）を発生させ、該近接場光を利用してディスクＤに各種情報を記録再生させるものである。なお、近接場光発生素子は、例えば、光学的微小開口や、ナノメートルサイズに形成された突起部等により構成されている。
【００２６】
図２に示すように、ピボット軸１０は、略円柱状に形成されたシャフト４１と、シャフト４１の外周面４１ａに対して所定間隔離間して配される略円筒状のスリーブ４３と、シャフト４１とスリーブ４３との間に介装される第一転がり軸受５１と、シャフト４１とスリーブ４３との間に、第一転がり軸受５１と所定間隔離間して並列して介装される第二転がり軸受５２と、を有している。
【００２７】
シャフト４１は、略円柱形状の棒状部材であり、長手方向（軸方向）の一端側に第一転がり軸受５１が装着され、第一転がり軸受５１と軸方向に所定間隔を空けて第二転がり軸受５２が装着されている。また、シャフト４１の一端側の端面には、シャフト４１の直径よりも拡径され、第一転がり軸受５１と当接されるフランジ部４４が形成されている。さらに、シャフト４１の外周面４１ａにおける第一転がり軸受５１および第二転がり軸受５２と当接する位置に接着剤を塗布する接着用溝部７１および７２がシャフト４１の外周面４１ａの全周に亘ってそれぞれ形成されている。
ここで、シャフト４１とフランジ部４４との境界には、テーパ（第一テーパ）６１が形成されている。
【００２８】
スリーブ４３は、略円筒形状に形成された部材であり、長手方向（軸方向）の一端側に第一転がり軸受５１が装着され、他端側に第二転がり軸受５２が装着される。また、スリーブ４３における第一転がり軸受５１と第二転がり軸受５２とが配される間には、第一転がり軸受５１と第二転がり軸受５２との間隔を所定距離に保持するスペーサ部４５が径方向内側に突出形成されている。さらに、スリーブ４３の内周面４３ａにおける第一転がり軸受５１および第二転がり軸受５２と当接する位置に接着剤を塗布する接着用溝部７３および７４がスリーブ４３の内周面４３ａの全周に亘ってそれぞれ形成されている。
ここで、スペーサ部４５の内周面４５ａの両端部と、スリーブ４３の内周面４３ａとの間にテーパ６３，６４が形成されている。テーパ６３は第一転がり軸受５１が配される側に形成され、テーパ６４は第二転がり軸受５２が配される側に形成されている。なお、本実施形態では、テーパ６３およびテーパ６４は同一形状で形成されている。また、スリーブ４３とスペーサ部４５とは別部材で構成してもよい。
【００２９】
第一転がり軸受５１および第二転がり軸受５２は、同一形状で形成された軸受である。具体的には、第一転がり軸受５１は、内輪５１ａと、内輪５１ａに対して同軸に配置される外輪５１ｂと、内輪５１ａと外輪５１ｂとの間に介装され、所定位置で転動する複数の転動体５１ｃとを有している。同様に、第二転がり軸受５２は、内輪５２ａと、内輪５２ａに対して同軸に配置される外輪５２ｂと、内輪５２ａと外輪５２ｂとの間に介装され、所定位置で転動する複数の転動体５２ｃとを有している。
【００３０】
ここで、第一転がり軸受５１の内輪５１ａの軸方向両端部には、テーパ（第二テーパ）６２が形成され、外輪５１ｂの軸方向両端部には、テーパ（第五テーパ）６５が形成されている。同じく、第二転がり軸受５２の内輪５２ａの軸方向両端部には、テーパ６７（第七テーパ）が形成され、外輪５２ｂの軸方向両端部には、テーパ（第六テーパ）６６が形成されている。なお、本実施形態では、テーパ６２とテーパ６７とは同一形状で形成され、テーパ６５とテーパ６６とは同一形状で形成されている。
【００３１】
つまり、シャフト４１のテーパ６１と第一転がり軸受５１のテーパ６２とが当接可能に構成され、スリーブ４３のテーパ６３と第一転がり軸受５１のテーパ６５とが当接可能に構成され、スリーブ４３のテーパ６４と第二転がり軸受５２のテーパ６６とが当接可能に構成されている。
【００３２】
次に、ピボット軸１０の製造方法について図３〜図６を用いて説明する。
まず、図３に示すように、シャフト４１の外周面４１ａに形成された接着用溝部７１に接着剤Ｂを塗布する。なお、接着剤としては例えば熱硬化性の接着剤を使用する。
【００３３】
第一転がり軸受５１にシャフト４１を挿通して、シャフト４１のテーパ６１と第一転がり軸受５１のテーパ６２とが当接するまで押し込む。このとき、テーパ６１とテーパ６２とが当接することにより内輪５１ａの軸芯をシャフト４１の軸芯（回転軸Ｌ１）に合わせることができる。
【００３４】
次に、図４に示すように、スリーブ４３の内周面４３ａに形成された接着用溝部７４に接着剤Ｂを塗布する。
スリーブ４３に第二転がり軸受５２を挿入して、スリーブ４３のテーパ６４と第二転がり軸受５２のテーパ６６とが当接するまで押し込む。このとき第二転がり軸受５２の外輪５２ｂがスペーサ部４５に当接するため、外輪５２ｂの軸方向の位置が固定されるとともに、テーパ６４とテーパ６６とが当接することにより外輪５２ｂの軸芯をスリーブ４３の軸芯に合わせることができる。
【００３５】
次に、図５に示すように、シャフト４１の外周面４１ａに形成された接着用溝部７２に接着剤Ｂを塗布するとともに、スリーブ４３の内周面４３ａに形成された接着用溝部７３に接着剤Ｂを塗布する。
第二転がり軸受５２が取り付けられた上記スリーブ４３に、第一転がり軸受５１が取り付けられた上記シャフト４１を挿通して、スリーブ４３のテーパ６３と第一転がり軸受５１のテーパ６５とが当接するまで押し込む。このとき第一転がり軸受５１の外輪５１ｂがスペーサ部４５に当接するため、外輪５１ｂの軸方向の位置が固定されるとともに、テーパ６３とテーパ６５とが当接することにより外輪５１ｂの軸芯をスリーブ４３の軸芯に合わせることができる。したがって、第一転がり軸受５１の内輪５１ａの軸芯はシャフト４１の軸芯に既に合っているため、外輪５１ｂおよびスリーブ４３の軸芯とシャフト４１の軸芯とを合わせることができる。また、第二転がり軸受５２の外輪５２ｂはスリーブ４３に固定されているため、外輪５２ｂの軸芯もシャフト４１の軸芯に合わせることができる。
【００３６】
そして、図６に示すように、第二転がり軸受５２の内輪５２ａをフランジ部４４側に所定圧力で押圧しながら接着剤Ｂを硬化させて第一転がり軸受５１および第二転がり軸受５２をシャフト４１およびスリーブ４３に固定する。なお、第二転がり軸受５２の内輪５２ａを所定圧力で押圧する際には押圧冶具７５を用いる。この押圧冶具７５の先端は例えば第二転がり軸受５２の内輪５２ａに形成されたテーパ６７と略同一形状に加工された第八テーパ６８が形成されており、押圧冶具７５をテーパ６７およびシャフト４１の外周面４１ａに当接させることにより内輪５２ａの軸芯をシャフト４１の軸芯Ｌ１に確実に合わせることができる。
【００３７】
押圧冶具７５を用いて第一転がり軸受５１および第二転がり軸受５２をシャフト４１およびスリーブ４３に固定した後に、恒温槽に入れて接着剤を熱硬化させることによりピボット軸１０の製造が完了する。
【００３８】
本実施形態によれば、第一転がり軸受５１をシャフト４１とスリーブ４３との間に介装する際に、テーパ６１とテーパ６２を当接させ、テーパ６３とテーパ６５とを当接させることにより、内輪５１ａおよび外輪５１ｂの位置を常に同じ位置に保持して固定することができる。したがって、第一転がり軸受５１の軸芯とシャフト４１の軸芯Ｌ１若しくはスリーブ４３の軸芯との軸芯ずれを抑制することができる。同様に、第二転がり軸受５２をシャフト４１とスリーブ４３との間に介装する際に、テーパ６４とテーパ６６を当接させ、内輪５２ａを所定圧力で押圧することにより、内輪５２ａおよび外輪５２ｂの位置を常に同じ位置に保持して固定することができる。したがって、第二転がり軸受５２の軸芯とシャフト４１の軸芯Ｌ１若しくはスリーブ４３の軸芯との軸芯ずれを抑制することができる。
【００３９】
このように、各部品にテーパ６１〜６７を形成して、接着剤で固定するだけで、軸芯ずれを抑制することができる。つまり、部品加工に厳しい精度が要求されなくなり、加工が容易になる。また、ピボット軸１０の各部品の軸芯ずれが無くなると、トルクの乱れやノイズの発生を抑制することができる。結果として、高性能なピボット軸１０を提供することができる。
【００４０】
また、第一転がり軸受５１と第二転がり軸受５２とを同一形状にすることで、転がり軸受の種類を削減でき、転がり軸受の生産効率を向上することができる。また、ピボット軸１０の製造時に、転がり軸受を見分けながら取り付ける必要がないため、取り付け間違いが起こらず、製造効率を向上することができる。
【００４１】
さらに、第二転がり軸受５２の内輪５２ａを押圧する際に用いる押圧冶具７５に、内輪５２ａに形成されたテーパ６７に当接可能なテーパ６８を形成したため、押圧冶具７５を用いて第二転がり軸受５２を所定圧力で押圧する際に、第二転がり軸受５２の内輪５２ａの位置をより確実に同じ位置に保持して固定することができる。したがって、各部品の軸芯ずれをより確実に抑制することができる。
しかも、第二転がり軸受５２の内輪５２ａをフランジ部４４側に押圧することにより、テーパ６４とテーパ６６とが確実に当接するだけでなく、テーパ６３とテーパ６５とが確実に当接し、さらにはテーパ６１とテーパ６２とが確実に当接することになる。したがって、各部品の軸芯ずれの発生を防止することができる。
【００４２】
そして、本実施形態の情報記録再生装置１は、各部品の軸芯ずれを抑制することができるピボット軸１０を用いてアーム部１４（ヘッドジンバルアセンブリ１２）を回動させるため、ディスクＤに対してヘッドジンバルアセンブリ１２を高精度に位置制御をすることができる。つまり、ディスクＤへの記録密度を増加することができ、情報記録再生装置１の容量を増加することができる。
【００４３】
尚、本発明は、上述した実施形態に限定されるものではなく、本発明の趣旨を逸脱しない範囲において、上述した実施形態に種々の変更を加えたものを含む。すなわち、実施形態で挙げた具体的な形状や構成等は一例にすぎず、適宜変更が可能である。
例えば、本実施形態では、押圧冶具の先端にテーパ形状を形成したものを採用したが、押圧冶具の先端は平坦面の形状にしたものを用いて第二転がり軸受の内輪の端面を所定圧力で押圧するようにしてもよい。
また、本実施形態では、軸受装置を情報記録再生装置のピボット軸に採用した場合の説明をしたが、これに限らず、各種装置の回転軸部に採用することができる。
【図面の簡単な説明】
【００４４】
【図１】本発明の実施形態における情報記録再生装置の概略構成図である。
【図２】本発明の実施形態におけるピボット軸の断面図である。
【図３】本発明の実施形態におけるピボット軸の製造方法を示す説明図（１）である。
【図４】本発明の実施形態におけるピボット軸の製造方法を示す説明図（２）である。
【図５】本発明の実施形態におけるピボット軸の製造方法を示す説明図（３）である。
【図６】本発明の実施形態におけるピボット軸の製造方法を示す説明図（４）である。
【符号の説明】
【００４５】
１…情報記録再生装置  １０…ピボット軸（軸受装置）  １１…キャリッジ  １２…ヘッドジンバルアセンブリ  １４…アーム部  ４１…シャフト  ４１ａ…外周面  ４３…スリーブ  ４３ａ…内周面  ４４…フランジ部  ４５…スペーサ部  ４５ａ…内周面  ５１…第一転がり軸受  ５１ａ…内輪  ５１ｂ…外輪  ５２…第二転がり軸受  ５２ａ…内輪  ５２ｂ…外輪  ６１…テーパ（第一テーパ）  ６２…テーパ（第二テーパ）  ６３…テーパ（第三テーパ）  ６４…テーパ（第四テーパ）  ６５…テーパ（第五テーパ）  ６６…テーパ（第六テーパ）  ６７…テーパ（第七テーパ）  ６８…テーパ（第八テーパ）  ７５…押圧冶具（冶具）  Ｂ…接着剤  Ｄ…ディスク（磁気記録媒体）
【図１】
2010054028.tif 000003
【図２】
2010054028.tif 000004
【図３】
2010054028.tif 000005
【図４】
2010054028.tif 000006
【図５】
2010054028.tif 000007
【図６】
2010054028.tif 000008